(57)【特許請求の範囲】
【請求項１】
少なくとも１つのコリメート化放射線測定プローブ（６）であって、感度を有する端部が、観測フィールドを有する交換可能なコリメータ（２）内に載置されているコリメート化放射線測定プローブ（６）を備える放射線特性化装置であって、
前記コリメータ（２）はコリメータホルダ（１）に担持されており、
前記コリメータと前記コリメータホルダとのアセンブリ（３）は、スタック内において２枚の遮蔽スクリーン（５）間に挿入されており、
前記遮蔽スクリーン（５）は、１つ以上の遮蔽プレート（５．１）を含み、
前記コリメータと前記コリメータホルダとの前記アセンブリ（３）及び前記遮蔽スクリーン（５）は、前記コリメータ（２）の前記観測フィールド外にある電離放射線源から来る寄生電離放射線に対して前記測定プローブ（６）を保護しており、
前記コリメータは、実質的にＵ字形状であって、開口部（２．１）と、前記測定プローブの前記感度を有する端部が収容されている底部とを有することを特徴とする放射線特性化装置。
【請求項２】
前記コリメータ（２）は、それぞれ互いに異なるサイズの開口部（２．１）を有する複数コリメータから選択されるものであって、
前記コリメータホルダ（１）は、前記コリメータ（２）を収容するようになっていることを特徴とする請求項１に記載の放射線特性化装置。
【請求項３】
前記測定プローブ（６）が交換可能であることを特徴とする請求項１または２に記載の放射線特性化装置。
【請求項４】
前記測定プローブ（６）はガンマ分光プローブまたはドーズ率プローブであることを特徴とする請求項１から３のいずれか１つに記載の放射線特性化装置。
【請求項５】
前記測定プローブ（６）が載置される取り外し可能プローブホルダ（８）をさらに備え、前記プローブホルダ（８）は、前記コリメータ（２）内に収容されている場合、前記コリメータ（２）内の前記測定プローブ（６）の前記感度を有する端部を位置決めすることを可能にすることを特徴とする請求項１から４のいずれか１つに記載の放射線特性化装置。
【請求項６】
前記プローブホルダ（８）がいくつかの前記測定プローブ（６）を収容する場合、いくつかの前記測定プローブ（６）は束（７）になっていることを特徴とする請求項５に記載の放射線特性化装置。
【請求項７】
前記遮蔽スクリーン（５）が前記遮蔽プレート（５．１）を複数個含むとき、複数の前記遮蔽プレート（５．１）は積層されていることを特徴とする請求項１から６のいずれか１つに記載の放射線特性化装置。
【請求項８】
前記コリメータ（２）に隣接する遮蔽プレート（５．１）は、前記コリメータ（２）の観測フィールドを拡大するために、前記コリメータ（２）の前記開口部（２．１）近傍に傾斜エッジ（５．３）を有することを特徴とする請求項７に記載の放射線特性化装置。
【請求項９】
前記遮蔽スクリーン（５）の１つは、前記測定プローブ（６）が通過する貫通孔（５．２）を含むことを特徴とする請求項１から８のいずれか１つに記載の放射線特性化装置。
【請求項１０】
前記プローブホルダ（８）は前記貫通孔（５．２）を通過することを特徴とする請求項５に従属する請求項９に記載の放射線特性化装置。
【請求項１１】
前記遮蔽スクリーン（５）が前記コリメータホルダ（１）及び前記コリメータ（２）に対して回転しないように及び並行移動しないように前記遮蔽スクリーン（５）をロックする手段（９）をさらに備えることを特徴とする請求項１から１０のいずれか１つに記載の放射線特性化装置。
【請求項１２】
前記ロック手段（９）及び／またはスポットライト（２３）に安定的に取り付けられた可視光または赤外線カメラ（２１）及び／または遠隔測定装置（２２）をさらに備えることを特徴とする請求項１１に記載の放射線特性化装置。
【請求項１３】
前記コリメータ（２）内で、前記測定プローブ（６）が放射線を測定するのに適切な位置にある場合、前記測定プローブ（６）をロックする手段（１０）をさらに備えることを特徴とする請求項１から１２のいずれか１つに記載の放射線特性化装置。
【発明の詳細な説明】
【技術分野】
【０００１】
本発明は、寄生電離放射線源に対して保護されている放射線特性化装置に関する。放射線特性化とは、当該装置によって、定量的測定すなわちドーズ率（ｄｏｓｅ  ｒａｔｅ）の測定、及び存在する放射性元素の性質に関する測定が分光法を用いて行えることを意味する。
【背景技術】
【０００２】
原子力産業、特に核施設を撤去する作業では不良環境で仕事をすることが頻繁に起こる。これらの作業は無論、例えばＡＬＡＲＡ（合理的に達成可能な限り低く）の原則の適用により規則、実務及び最適化法によって計画される。この原則は、経済的及び社会的要因を鑑みて電離放射線に対する露出を極力低くするために業界によって確立された。実際は、技術的作業は各状況の専門的熟練度、より厳密には現場の放射線特性化に依存している。すなわち、所与の場所に存在する放射性元素の汚染の集中度レベル及びその位置、ならびに性質に対する知識に依存している。
【０００３】
仏国特許出願ＦＲ２  ７８９  ３０４号に記載されるような、ガンマカメラとコリメート化ガンマ分光検出器とを組み合わせた放射線特性化装置がある。コリメータはガンマカメラの観測フィールド（ｏｂｓｅｒｖａｔｉｏｎ  ｆｉｅｌｄ）に含まれる観測フィールドを有する。この装置では、コリメータは固定され、ガンマ分光検出器を取り囲んでいる。Ｆ．Ｖｅｒｍｅｅｒｓｃｈらによる文献”Ｃｈａｒａｃｔｅｒｉｓａｔｉｏｎ  ａｎｄ  ｍｏｄｅｌｌｉｎｇ  ｏｆ  ａ  ｒａｄｉｏａｃｔｉｖｅ  ｓｉｔｅ  ｂｙ  ｃｏｍｂｉｎｅｄ  ｕｓｅ  ｏｆ  ｔｈｅ  ＥＤＲ  ｕｎｉｄｉｒｅｃｔｉｏｎａｌ  ｇａｍｍａ  ｓｃａｎｎｅｒ  ａｎｄ  ｔｈｅ  ＶＩＳＩＰＬＡＮ  ３Ｄ  ｐｌａｎｎｉｎｇ  ｔｏｏｌ”（ＥＤＲ単方向ガンマスキャナとＶＩＳＩＰＬＡＮ  ３Ｄプランニングツールとを組み合わせて用いることによる放射性サイトの特性化及びモデル）（２００３）は、ガンマ分析器の使用を示している。このガンマ分光器では、フォトダイオードに連結されたＣｓＴｉ結晶タイプのガンマ検出器が、前面に円錐台形のシールドを有する鋼製ケース内に収容されている。このシールドは鋼製コリメータによって拡張されている。撤去中の建物に見られ得るように、大きく異なるレベルの電離放射線源を明らかにするためには、互いに異なる交換可能なサイズのコリメータを有する必要があることは明らかである。
【０００４】
Ｒａｄｓｃａｎ  ６００と呼ばれる放射線特性化装置も公知であり、米国特許第７，０９５，０３０号の図１に示されている。この装置は、ビデオカメラと、コリメート化ガンマ検出器と、レーザ遠隔測定装置とを含む検査ヘッドを有する。この装置では、コリメータは交換可能である。この装置の欠点は、動作中に、比較的強度の低いホットスポットが、コリメータの観測フィールド外にあるより強度の高いホットスポットによって隠され得ることである。
【発明の概要】
【発明が解決しようとする課題】
【０００５】
本発明の目的は、上記の制限および問題点のない放射線特性化装置（ｒａｄｉｏｌｏｇｉｃａｌ  ｃｈａｒａｃｔｅｒｉｓａｔｉｏｎ  ｄｅｖｉｃｅ）、特に、より強度の高い電離放射線源（ｉｏｎｉｓｉｎｇ  ｒａｄｉａｔｉｏｎ  ｓｏｕｒｃｅｓ）が存在する場合でも、より強度の低い電離放射線源を寄生ノイズによる干渉なく特性化することができる放射線特性化装置を提案することである。
【０００６】
本発明の別の目的は、調整可能なコリメータを有する放射線特性化装置を提案することである。
【０００７】
本発明のさらに別の目的は、交換可能な放射線測定プローブを有する放射線特性化装置を提案することである。
【課題を解決するための手段】
【０００８】
これを達成すべく、本発明は、感度を有する端部が、観測フィールドと開口部とを有する交換可能なコリメータ内に載置されているコリメート化放射線測定プローブ（ｃｏｌｌｉｍａｔｅｄ  ｒａｄｉｏｌｏｇｉｃａｌ  ｍｅａｓｕｒｉｎｇ  ｐｒｏｂｅ）を少なくとも一つ備える放射線特性化装置である。前記コリメータはコリメータホルダに保持されており、前記コリメータと前記コリメータホルダからなるアセンブリは、スタック内において２枚の遮蔽スクリーン間に挿入されており、前記遮蔽を行うスクリーンは厚みを調整するように交換可能であり、前記コリメータと前記コリメータホルダからなる前記アセンブリ及び前記遮蔽スクリーンは、前記コリメータの前記観測フィールド外にある電離放射線源から来る寄生電離放射線に対してプローブを保護する。
【０００９】
互いに異なるサイズを有する開口部を有するコリメータはコリメータホルダに収容されてもよい。
【００１０】
前記測定プローブもまた交換可能であることが有利である。
【００１１】
前記測定プローブはガンマ分光プローブまたはドーズ率プローブであってもよい。
【００１２】
前記放射線特性化装置は好ましくは、前記プローブが載置される取り外し可能プローブホルダをさらに備え、前記プローブホルダは、前記コリメータ内に収容されている場合、前記コリメータ内の前記プローブの前記感度を有する端部を位置決めすることを可能にする。
【００１３】
前記プローブホルダがいくつかのプローブを収容する場合、前記いくつかのプローブは束になっている。
【００１４】
各遮蔽スクリーンは１以上の遮蔽プレートを含み、いくつかの遮蔽プレートがある場合、前記いくつかの遮蔽プレートは積層されていることが有利である。これにより遮蔽スクリーンの厚みを調整することができる。
【００１５】
前記コリメータは実質的にＵ字形状であってもよく、開口部とベース部とを有していてもよい。
【００１６】
前記コリメータに隣接する遮蔽プレートは、前記コリメータの観測フィールドを拡大するために、前記コリメータの前記開口部近傍で傾斜していてもよい。
【００１７】
前記遮蔽スクリーンの１つは、前記プローブが通過する貫通孔を含む。
【００１８】
前記遮蔽スクリーンが前記コリメータホルダ及び前記コリメータに対して回転しないように及び並行移動しないように前記遮蔽スクリーンをロックする手段を備えることが可能である。
【００１９】
放射線特性化装置は、前記ロック手段及び／またはスポットライトに安定的に取り付けられた可視光または赤外線カメラ及び／または遠隔測定装置をさらに備えてもよい。これらは複雑な現場の検査中、非常に有用である。
【００２０】
前記コリメータ内で所定の位置にある場合に前記プローブをロックする手段をさらに備えることができ、これにより前記特性化装置を問題なく移動させることができる。
【００２１】
本発明は、添付の図面を参照しながら、以下の例示的実施形態の記載を読むことにより、よりよく理解される。以下の例示的実施形態は、純粋に本発明を説明するために設けられており、本発明を限定するものではない。図面は以下の通りである。
【図面の簡単な説明】
【００２２】
【図１Ａ】図１Ａは、本発明の対象である放射線特性化装置の一例を示す、分解図、断面図及び放射線特性化装置を組み立てた状態の図である。
【図１Ｂ】図１Ｂは、本発明の対象である放射線特性化装置の一例を示す、分解図、断面図及び放射線特性化装置を組み立てた状態の図である。
【図１Ｃ】図１Ｃは、本発明の対象である放射線特性化装置の一例を示す、分解図、断面図及び放射線特性化装置を組み立てた状態の図である。
【図２Ａ】図２Ａは、観測した電離放射線源のエネルギーの関数に対する、測定プローブによって得られたフルエンス率（ｆｌｕｅｎｃｅ  ｒａｔｅ）を示すグラフである。
【図２Ｂ】図２Ｂは、観測した電離放射線源のエネルギーの関数に対する、コリメータによって得られた信号対雑音比を示すグラフである。
【図３Ａ】図３Ａは、本発明の放射線特性化装置のコリメータのコリメーション力を、コリメータがない放射線特性化装置と比較して示す平面図である。
【図３Ｂ】図３Ｂは、本発明の放射線特性化装置のコリメータのコリメーション力を、コリメータがない放射線特性化装置と比較して示す平面図である。
【図４】図４Ａから図４Ｈは、本発明の放射線特性化装置のコリメータを交換するために適用する手順を示す。
【図５】図５Ａから図５Ｃは、測定プローブを交換するために図４の連続工程（ｃｏｎｃａｔｅｎａｔｉｏｎ）をいかに改変するかを示す。
【図６】図６Ａ、図６Ｂ及び図６Ｃは、様々なプローブホルダ（ｐｒｏｂｅ  ｈｏｌｄｅｒ）の断面図を示す。
【図７Ａ】図７Ａは、核分裂生成物溶液を含む、または含んでいた容器であって、クリーニング段階にある容器を収容するケースのドーズ率マッピングである。
【図７Ｂ】図７Ｂは、核分裂生成物溶液を含む、または含んでいた容器であって、クリーニング段階にある容器を収容するケースのドーズ率マッピングである。
【図７Ｃ】図７Ｃは、核分裂生成物溶液を含む、または含んでいた容器であって、クリーニング段階にある容器を収容するケースのドーズ率マッピングである。
【発明の開示】
【発明の効果】
【００２３】
本発明の対象である放射線特性化装置は、測定プローブ（単数または複数）によって送達された信号を直接利用し、簡素な報告または表によってこれらの信号の処理を「インラインで」行うことにより使用することができる。絶対的な測定方法を用いる。特性化すべきシーンの前で少なくとも１つの垂直方向に放射線特性化装置を移動させ、ポールにぶら下げて高さごとに１以上の角度方向を与える。送達された信号に応じて、コリメータ、及び遮蔽スクリーンの一方、他方または両方の厚み、あるいはさらに測定プローブを交換することが可能である。
【００２４】
ガンマ分光プローブを用いるために測定プローブを交換することにより、観測した放射性元素の性質を推定することが可能である。その後、観測したシーンの活性を推定するために、ドーズ率のマッピングとガンマスペクトルとを組み合わせることが可能である。
【発明を実施するための形態】
【００２５】
放射線特性化装置について示す様々な構成は、互いを排除するものではないと解釈されるべきである。
【００２６】
以下の様々な図面において類似または均等な部分には同一の参照符号を付し、ある図面から別の図面への移行を容易にする。
【００２７】
図面に示す様々な部分は、図面をよりわかりやすくするため、必ずしも均一な縮尺で示してはいない。
【００２８】
図１Ａを参照する。図１Ａは、本発明による放射線特性化装置の一例の分解図である。図１Ｂは、本発明による同一の放射線特性化装置の断面図を示す。放射線特性化装置は、コリメータ２を受け入れるコリメータホルダ１を含む。コリメータ２は実質的にＵ字形状であり、底部から２本のアームが延びている。当該アームはコリメータ２の開口部２．１を規定する。コリメータホルダ１は実質的にＵ字形状であってもよいし、Ｃ字形状であってもよい。Ｕ字形状のコリメータの底部はコリメータホルダ１内に収容されている。このようにコリメータ２は交換可能であり、コリメータホルダ１は、互いにサイズの異なる開口部２．１を有するがベース部は同一であるコリメータ２を受け入れることができる。
【００２９】
図１Ａは、コリメータホルダ１に交互に設置可能な４つのコリメータ２のセットを示す。これら４つのコリメータ２は、例えば１０度から９０度間の角度に対応する、互いに異なるサイズの開口部２．１を有する。これらの角度は図１Ａでは、コリメータホルダ１から離れるにつれて小さくなるように示している。以下、コリメータ２がコリメータホルダ１に取り付けられることにより形成されるアセンブリをコリメーションアセンブリ（ｃｏｌｌｉｍａｔｉｏｎ  ａｓｓｅｍｂｌｙ）３と呼ぶ。コリメーションアセンブリ３は、スタック４内において２枚の遮蔽スクリーン５間に挟まれている。遮蔽スクリーン５は好ましくは実質的に平坦である。遮蔽スクリーン５は交換可能であり、そのためその厚みは、隣接して寄生と考えられる１以上のガンマ電離放射線源（ｇａｍｍａ  ｉｏｎｉｓａｔｉｏｎ  ｒａｄｉａｔｉｏｎ  ｓｏｕｒｃｅ）について、観測すべきガンマ電離放射線源の位置に応じて調整可能である。尚、電離放射線源は図示していない。
【００３０】
コリメータ２の開口部２．１はスタック４の一端に位置している。放射線特性化装置は、少なくとも１つの放射線測定プローブ６をさらに含み、放射線測定プローブ６は、Ｕ字形状のコリメータ２の底部に収容された感知部（ｓｅｎｓｉｔｉｖｅ  ｐａｒｔ）を有する。コリメータ２の開口部２．１は空である。この測定プローブ６もまた交換可能である。この測定プローブ６は、ドーズ率測定プローブ、例えばＳａｐｈｙｍｏ社から入手可能なプローブＳＨＩであってもよい。一改変例では、例えばＣｄＺｎＴｅなどの半導体をベースとしたガンマ分光プローブであってもよい。後述するように、ガンマ分光プローブ６をいくつか束７にした状態で同時に用いることが可能である。プローブ６（単数または複数）をコリメータ２内に精度よく位置決めするためにプローブホルダ８を設けることが好ましい。これにより断面が同一でない測定プローブ６を用いる可能性が提供される。プローブホルダ８は可動であり、測定プローブ６または測定プローブの束７が挿入されたスリーブという形態を取ってもよい。プローブホルダ８と測定プローブ６とのアセンブリは、Ｕ字形状のコリメータ２の底部に収容される。このプローブホルダ８は、銅などの材料で形成することができ、これにより最小エネルギーで電離放射線をフィルタリングすることも可能となる。
【００３１】
プローブホルダ８は所与の測定プローブ６と関連づけてもよい。プローブホルダ８は、コリメータ２の底部によって規定された空間に対応する外側断面と、測定プローブ６または測定プローブの束７の断面に対応する内側断面とを有する。以下、プローブホルダ８と測定プローブ６とのアセンブリを測定アセンブリ１１と呼ぶ。測定アセンブリ１１は、コリメーションアセンブリ３上に適合した遮蔽スクリーン５上に載置されている。
【００３２】
２枚の遮蔽スクリーン５及びコリメーションアセンブリ３は、コリメータ２の観測フィールド外にある電離放射線源からのいかなる寄生電離放射線に対しても測定プローブ６を保護する。２枚の遮蔽スクリーン５は各々、１以上のプレート５．１から形成されている。プレート５．１がいくつかある場合、プレート５．１は積層されている。遮蔽スクリーン５及びコリメータホルダ１は、例えば鉛などの、電離放射線を遮蔽する材料から形成される。コリメータ２は例えばタングステンから形成してもよい。
【００３３】
遮蔽スクリーン５の一方は、測定プローブ６が通過する孔５．２を有する。プローブホルダ８がある場合は、測定プローブ６はプローブホルダ８と共に孔５．２を通過する。
【００３４】
遮蔽プレート５．１の数はコリメーションアセンブリ３の両側で必ずしも同じでない。
【００３５】
少なくとも１枚の遮蔽プレート５．１であってコリメータ２に最も近い遮蔽プレート５．１は、コリメータ２の開口部２．１に傾斜エッジ５．３を有し、これによりコリメータ２の観測フィールドが拡大することが可能である。
【００３６】
スタック４の様々な構成要件が回転または並行移動しないようにロック手段９を提供してもよい。ロック手段９は下部プレート９．１を含み、下部プレート９．１から３本のセンタリングロッド９．２が突出している。センタリングロッド９．２は遮蔽スクリーン５及びコリメータホルダ１を通過する。これらのセンタリングロッド９．２は、スタック４の構成要件の１つが他の構成要件に対して回転するのを防止する。スタック４は下部プレート９．１上に載置されている。この例では、３本のセンタリングロッド９．２を示す。
【００３７】
これらのロック手段９はさらに、センタリングロッド９．２が通過する上部プレート９．３を含む。上部プレート９．３は、スタック４上に適合するようになっている。さらにナット９．４がセンタリングロッド９．２にねじ込まれており、センタリングロッド９．２は、上部プレート９．３を、それが覆っている遮蔽スクリーン５に対して押圧された状態で保持するために、少なくとも部分的にねじ切りされている。測定プローブ６をロックする手段１０も提供され、手段１０はバー１０．１という形態を取ってもよい。バー１０．１の一端は孔１０．２を有しており、これによりバー１０．１がセンタリングロッド９．２の１つに適合されている。バー１０．１の他端は凹部１０．３を有しており、凹部１０．３は他のセンタリングロッド９．２上に固定されるようになっている。バー１０．１は、ロック位置にあるときは、センタリングロッド９．２にねじ込まれたナット９．４によって上部プレート９．３に押圧保持されている。これにより測定プローブ６が並行移動することを防止する。
【００３８】
上部プレート９．３には、特性化装置の移動、及びコリメータ２の角度方向を変更すること、より具体的にはその開口部２．１の角度方向を変更することを容易にするためにハンドル９．３０を設けてもよい。
【００３９】
スタック４を回転円柱という形態で示してきたが、スタック４はこれに限られない。この場合、遮蔽スクリーン５は円盤という形態を取ってもよい。
【００４０】
上記装置では、本発明の対象である放射線特性化装置が用いられる空間の構造に応じて、遮蔽プレート５．１の数を改変することが容易である。そのため、装置下方に非常に強度の高い電離放射線源（図示せず）がある場合、下部プレート９．１とコリメーションアセンブリ３との間に遮蔽プレート５．１を追加することが可能である。無論、装置上方に非常に強度の高い電離放射線源がある場合、上部プレート９．３とコリメーションアセンブリ３との間に遮蔽プレート５．１を追加することが可能である。
【００４１】
従って図５Ａから図５Ｃに示すように、２枚の遮蔽スクリーン５は必ずしも同一の厚みを有していない。２枚の遮蔽スクリーン５は、必ずしも同一の数の遮蔽プレート５．１を有していない。すべての遮蔽プレート５．１が同一の厚みを有していなくてもよい。図５Ａから図５Ｃでは、下部プレート９．１上に位置する遮蔽プレート５．１は、他のプレート５．１よりも厚い。これは一例にすぎない。センタリングロッド９．２の長さは、用いる２枚の遮蔽スクリーン５の厚みに応じて変更される。
【００４２】
図１Ｃにおいて、本発明の対象である放射線特性化装置は三次元で示している。放射線特性化装置は、上部プレート９．３のハンドル９．３０上に示すモノクロまたはカラーの赤外線または可視光カメラ２１及び／または遠隔測定装置２２をさらに含む。カメラ２１によって、観測したシーンの可視光または赤外線写真を撮ることが可能となる。遠隔測定装置２２によって、観測した電離放射線源から放射線特性化装置までの距離を測定することが可能となる。スポットライト基準２３はそのシーンを照らす。
【００４３】
９０度の開口部、すなわちアパチャを有するコリメータ２を含むコリメーションアセンブリ３の効果は、ＭＥＲＣＵＲＥ高度演算コード（ＭＥＲＣＵＲＥ  ａｄｖａｎｃｅ  ｃｏｍｐｕｔｉｎｇ  ｃｏｄｅ）６．２を用いた一連の計算によって証明されている。これは、所与のエネルギーを有する電離放射線源に対して、検出器におけるガンマ線フルエンス率を評価する演算コードである。フルエンス（ｆｌｕｅｎｃｅ）とは、空間内の所与の点について、所与の時間内にこの点を中心とする適度に小さい球体に入る粒子の数を、この球体の大円の面積で除算した商であることを思い出されたい。フルエンス率は、フルエンスの変動を単位時間で除算した商である。
【００４４】
電離放射線源は、１０メートル×６メートル×２メートルという大容量を有する。ドーズ率測定プローブは、電離放射線源から１メートルの位置に載置される。電離放射線源には５つの不連続なエネルギー値、すなわち１００ｋｅＶ、５００ｋｅＶ、１ＭｅＶ、２ＭｅＶ及び１０ＭｅＶが与えられている。これらのフルエンス率の計算は、コリメータがある状態またはない状態で、本発明の放射線特性化装置を用いて行った。図２Ａのグラフは、電離放射線源のエネルギーに対するフルエンス率を示す。カーブ（ｂ）は、特性化装置にコリメータがない場合に対応し、カーブ（ａ）は特性化装置にコリメータがある場合に対応する。コリメータがある場合に行った計算は、フルエンス率が源のエネルギーに応じて変化することを示す。コリメータがない場合は、フルエンス率は実質的に一定である。
【００４５】
同じ電離放射線源と本発明の対象である放射線特性化装置とをさらに用いて、コリメーションアセンブリにより得られた信号対雑音比を評価することを試みた。図２Ｂを参照する。電離放射線源がコリメータの観測フィールド内にある第１の構成、及び電離放射線源が厳密にコリメータの観測フィールド外にある第２の構成において、上記の不連続エネルギーの各々についてフルエンスを計算した。信号対雑音比は、第２の構成で計算した値に対する、第１の構成で計算した値の割合に比例する量である。信号対雑音比は、約２から約１まで変化し、エネルギーが増加するにつれて減少する。ＭＥＲＣＵＲＥ演算コードは、源を、１Ｂｑ／ｃｍ３の容量活性の標準に合わせる。
【００４６】
図３は、コリメータがある場合（図３Ａ）及びコリメータがない場合（図３Ｂ）に測定プローブが得るフラックスのモデルを示す。放射線特性化装置は部分平面図で示している。測定プローブ６が得たフラックスは、コリメータがある場合の方がはるかに小さい。
【００４７】
次に図４Ａから図４Ｈを参照して、コリメータ２をどのように交換することができるのかを示す。図４Ａでは、放射線特性化装置は、広い観測フィールドを有するコリメータ２を含む。放射線特性化装置はさらに、束７にした３つの測定プローブ６を含む。図４Ｂでは、センタリングロッド９．２のうちの１つのバー１０．２を解放することにより測定アセンブリ１１をアンロックしている。
【００４８】
図４Ｃでは、測定アセンブリ１１を持ち上げることにより測定アセンブリ１１をコリメータ２から取り出している。測定アセンブリ１１は、貫通孔５．２を有する遮蔽スクリーン５に挿入されたままにしておいてもよい。図４Ｄでは、コリメータ２を引き出しのように引っ張ることによりコリメータホルダ１から取り出している。図４Ｅでは、新しいコリメータ２を引き出しのように押し込むことによりコリメータホルダ１内に収容する。図４Ｆでは、新しいコリメータ２は適切な位置にある。新しいコリメータ２は、取り出したコリメータ２よりも狭い観測フィールドを有する。
【００４９】
図４Ｇでは、測定アセンブリ１１を上部遮蔽スクリーン５及びコリメータ２まで降下させて、コリメーションアセンブリ３が載置されたもう一方の遮蔽スクリーン５に接するようにすることにより、測定アセンブリ１１を元の位置に戻している。あとは、図４Ｈに示すように、ロックバー１０．１を元の位置に戻すだけである。測定プローブ６を交換したい場合は、以下の動作を行うことができる。図４Ａから図４Ｃに示す動作を行う。その後、図５Ａに示すように測定アセンブリ１１を完全に取り出し、図５Ｂ、図５Ｃに示すように別の測定アセンブリに置き換える。図５Ｃでは、新しい測定アセンブリ１１は適切な位置にある。あとは、図４Ｈに示すように、ロックバー１０．１を元の位置に戻すだけである。無論、コリメータ２の交換と測定アセンブリ１１の交換とを組み合わせて連続した工程で行うことも可能である。
【００５０】
測定プローブ６は、電離放射線源（図示せず）が放出したガンマスペクトルを受け取る。受け取ったガンマスペクトルに応答して測定プローブが供給する信号によって、スペクトル内に存在する電離放射線を放出する各放射性元素のフラックス率または活性を推定することが可能となる。そのためガンマスペクトルの解釈によって、例えばルームのクリーニングフェーズ中に、受け取ったスペクトル内に存在する各放射性元素を「インラインで」監視することが可能となる。
【００５１】
図６Ａ、図６Ｂ及び図６Ｃは、いくつかのプローブホルダ８の断面図を示す。プローブホルダは回転円柱であり、その外径は、どのようなプローブホルダを受け入れるかにかかわらず同一である。図６Ａのプローブホルダ８は、いくつかの分光測定プローブの束を受け入れるようになっている。この例では、３つの分光測定プローブが設けられている（例えば図４Ａに示す）が、数はこの限りではない。３つのプローブの容量は同じであってもよいし、異なっていてもよい。一例では、容量が例えば１ｍｍ３、５ｍｍ３、６０ｍｍ３と次第に増加するプローブを設けることも可能である。測定値は広い測定ダイナミックレンジをカバーする。
【００５２】
一改変例では、同一の容量のプローブを用いること、及び各プローブによって得られたガンマ放射線スペクトルを合算することが可能である。後者の構成によると、３倍容量のプローブを単一で用いる場合に比べて、低容量の検出器を用いて検出解像度を保持しつつ効率を上げることが可能である。図６Ｂ及び図６Ｃでは、プローブホルダ８は単一のプローブを受け入れるようになっており、図６Ｂのプローブホルダ内に載置すべきプローブの容量は、図６Ｃのプローブホルダ内に載置される測定プローブのそれよりも大きい。
【００５３】
本発明の対象である放射線特性化装置は、測定プローブ（単数または複数）によって送達された信号を直接利用し、簡素な報告または表によってこれらの信号の処理を「インラインで」行うことにより使用することができる。絶対的な測定方法を用いる。特性化すべきシーンの前で少なくとも１つの垂直方向に放射線特性化装置を移動させ、ポールにぶら下げて高さごとに１以上の角度方向を与える。送達された信号に応じて、コリメータ、及び遮蔽スクリーンの一方、他方または両方の厚み、あるいはさらに測定プローブを交換することが可能である。
【００５４】
一改変例では、後処理を行うことが可能である。相対的測定方法を用いる。所与の電離放射線源及び所与のコリメータに対して、観測したシーンのドーズ率についてマッピングを行う。特性化装置に与えられる、従って測定プローブに与えられる配向角を角度ゼロのいずれかの側において定義する。角度ゼロでは、コリメータの視準軸は観測したシーンに対して実質的に法線方向である。複数の高さも定義する。例えば、所与の高さ及びある数の配向角度について、ドーズ率を測定する。これにより図７Ａに示す第１のマッピングを行うことが可能となる。
【００５５】
第１のマッピングは、汚染点または領域及び集中点または領域を規定する。その後シーンがクリーニングされると、引き続き、このクリーニングを終えて新しい一連の測定を行い、除染の効果を評価するために同一高さ及び同一角度で新しいマッピングを行うことが可能である。ガンマ分光プローブを用いるために測定プローブを交換することにより、観測した放射性元素の性質を推定することが可能である。その後、観測したシーンの活性を推定するために、ドーズ率のマッピングとガンマスペクトルとを組み合わせることが可能である。
【００５６】
図７Ａ、図７Ｂ及び図７Ｃは、核分裂生成物溶液を収集し保存する容器を収容するケースのドーズ率マッピングである。測定値は深さ１メートルと５．２５メートルとの間で行った。−９０度から＋９０度までの角度範囲で走査を行った。ケースは、建物の地下で、コンクリートスラブ７０下方に載置されている。これらのマッピングは、クリーニング直前の状態（図７Ａ）、クリーニング中の状態（図７Ｂ）、及びクリーニングの最終状態（図７Ｃ）に対応している。
【００５７】
図７Ａにおいて、汚染レベルが高い３つの領域を見ることができる。３つの領域とは、天井に近い領域１、中間の領域２及びケース底の領域３である。領域１は、サンプル取り出しポットなどのパイプによる。領域２は、エジェクタ型の容器の内部またはマーリン領域（ｍａｒｌｉｎｇ  ｚｏｎｅ）であることによる。領域３は、依然として活性な溶液を含む容器の底部による。
【００５８】
図７Ｂにおいて、少なくとも領域２及び３でドーズ率が減少したことがわかる。クリーニング作業が開始され容器が空になったときに検査を行う。領域４と呼ぶ新しい高度汚染領域がマップの左側に、高度約−３．７５メートルと−４．５メートルとの間に現れている。これは容器を空にするのに用いたパイプに対応する。サンプル取り出しポットはまだ処理されていないため、領域１は依然として存在する。
【００５９】
図７Ｃでは、クリーニング作業が継続しており、容器は水洗され、水洗の効果は否定できない。領域４は消えており、領域３の強度は低下している。除染されていない領域１のみが高い強度のままである。マッピングの結果及び汚染の影響についての報告は納得がいくものであり精密である。
【００６０】
放射線特性化装置は、本発明の範囲から逸脱することなく、様々な変更および改変が可能であることが理解される。
【図１Ａ】
0005680564.tif 000002
【図１Ｂ】
0005680564.tif 000003
【図１Ｃ】
0005680564.tif 000004
【図２Ａ】
0005680564.tif 000005
【図２Ｂ】
0005680564.tif 000006
【図４】
0005680564.tif 000007
【図５】
0005680564.tif 000008
【図６】
0005680564.tif 000009
【図３Ａ】
0005680564.tif 000010
【図３Ｂ】
0005680564.tif 000011
【図７Ａ】
0005680564.tif 000012
【図７Ｂ】
0005680564.tif 000013
【図７Ｃ】
0005680564.tif 000014